(57)【要約】【課題】家屋への不法侵入を未然に防止する。【解決手段】この不法侵入防止システムは、居住者の留守中における家屋への不法侵入を防止するために、家屋内に配設されている照明器具Ｌ１，Ｌ２，Ｌ３，Ｌ４をその家屋内に人が居るかのようにライティングさせるシステムであって、照明器具Ｌ１，Ｌ２，Ｌ３，Ｌ４をそれぞれ点灯／消灯させるためのスイッチング装置２Ａ，２Ｂ，２Ｃ，２Ｄと、このスイッチング装置２の動作を制御する制御装置３とを含む。帰宅の遅い日が続く場合や旅行または出張などで長期留守となる場合に、ライティング制御プログラムを実行して、適当な照明器具Ｌが適当な時間に点灯するように設定しておけば、留守中の家屋から金品を盗み出そうと企む者に家屋内に人が居ると思い込ませることができ、そのような者が家屋に不法侵入するのを防止できる。【選択図】　　　　図１
2004094601.tif 000002
【特許請求の範囲】
【請求項１】
留守中の家屋への不法侵入を防止するためのシステムであって、
家屋内の所定の電気器具をオン／オフさせるためのスイッチング装置と、
このスイッチング装置を制御して、家屋内に人が居ると第三者に思い込ませるために上記所定の電気器具をオン／オフさせるスイッチング制御装置と
を含むことを特徴とする不法侵入防止システム。
【請求項２】
上記スイッチング制御装置は、表示手段と、この表示手段に上記所定の電気器具をオン／オフさせる条件を設定する設定画面を表示させる設定画面表示制御手段とを備えており、上記設定画面上で設定された条件に基づいて上記所定の電気器具をオン／オフさせるものであることを特徴とする請求項１記載の不法侵入防止システム。
【請求項３】
上記設定画面表示制御手段は、上記スイッチング制御装置によって上記スイッチング装置の制御を実行する時間の始期である制御開始時刻を設定可能な設定画面を表示させるものであり、
上記スイッチング制御装置は、現在時刻が上記設定画面で設定された制御開始時刻を過ぎた後、上記所定の電気器具をオンさせるか否かを決定するためのオン抽選を一定時間ごとに実行するオン抽選実行手段をさらに含み、このオン抽選実行手段によるオン抽選で当たりが出たことに応答して、上記所定の電気器具をオンさせるものであることを特徴とする請求項２記載の不法侵入防止システム。
【請求項４】
上記設定画面表示制御手段は、上記スイッチング制御装置によって上記スイッチング装置の制御を実行する時間を設定可能な設定画面を表示させるものであり、
上記スイッチング制御装置は、上記所定の電気器具をオンさせてから上記設定画面で設定された上記スイッチング装置の制御を実行する時間が経過した後、上記所定の電気器具をオフさせるか否かを決定するためのオン抽選を一定時間ごとに実行するオフ抽選実行手段をさらに含み、このオフ抽選実行手段によるオフ抽選で当たりが出たことに応答して、上記所定の電気器具をオフさせるものであることを特徴とする請求項２または３記載の不法侵入防止システム。
【請求項５】
留守中の家屋への不法侵入を防止するためのシステムに用いられて、家屋内の所定の電気器具をオン／オフさせるためのスイッチング装置を制御するスイッチング制御装置であって、
表示手段と、
この表示手段に上記所定の電気器具をオン／オフさせる条件を設定する設定画面を表示させる設定画面表示制御手段と、
上記設定画面上で設定された条件に基づいて上記所定の電気器具をオン／オフさせる手段と
を含むことを特徴とするスイッチング制御装置。
【請求項６】
留守中の家屋への不法侵入を防止するためのシステムに用いられて、家屋内の所定の電気器具をオン／オフさせるためのスイッチング装置を制御するスイッチング制御装置としてコンピュータを機能させるためのスイッチング制御プログラムであって、上記コンピュータを、
上記所定の電気器具をオン／オフさせる条件を設定する設定画面を表示手段に表示させる設定画面表示制御手段、および
上記設定画面上で設定された条件に基づいて上記所定の電気器具をオン／オフさせる手段
として機能させることを特徴とするスイッチング制御プログラム。
【請求項７】
コンピュータによる読み取りが可能であって、請求項６に記載のスイッチング制御プログラムを記録した記録媒体。
【発明の詳細な説明】
【０００１】
【発明の属する技術分野】
この発明は、家屋（住宅、店舗、オフィスなど）への不法侵入を防止するための不法侵入防止システム、このシステムのためのスイッチング制御装置、ならびにコンピュータをそのようなスイッチング制御装置として機能させるためのプログラムおよびそれを記録した記録媒体に関する。
【０００２】
【従来の技術】
近年、居住者の留守中に住宅や店舗、オフィスなどの家屋に不法侵入して、その家屋から金銭および貴金属などの物品を盗み出す、いわゆる空き巣が多発している。
このような空き巣による被害を防ぐためのシステムとして、たとえば、家屋の出入口や窓に防犯センサが配設され、この防犯センサが不法侵入者を検出すると、その旨が警備監視センタに自動通報されて、警備監視センタから警備員が家屋に急行するセキュリティシステムが知られている。
【０００３】
【発明が解決しようとする課題】
ところが、このような従来のセキュリティシステムは、家屋への不法侵入があった場合に、その不法侵入を警備監視センタに通報して、警備員を現場（家屋）に急行させることで、家屋から金品が盗み出されることを防止するものであり、家屋への不法侵入を防止できるものではない。しかも、不法侵入の通報を受けた警備監視センタから警備員が現場に到着するまでには、ある程度の時間を要するため、その間に不法侵入者が金品を盗んで逃走してしまうケースが多かった。
【０００４】
そこで、この発明の目的は、家屋への不法侵入を未然に防止できる不法侵入防止システム、このシステムのためのスイッチング制御装置、ならびにコンピュータをそのようなスイッチング制御装置として機能させるためのプログラムおよびそれを記録した記録媒体を提供することである。
【０００５】
【課題を解決するための手段および発明の効果】
上記の目的を達成するための請求項１記載の発明は、留守中の家屋への不法侵入を防止するためのシステムであって、家屋内の所定の電気器具をオン／オフさせるためのスイッチング装置（２）と、このスイッチング装置を制御して、家屋内に人が居ると第三者に思い込ませるために上記所定の電気器具（Ｌ１，Ｌ２，Ｌ３，Ｌ４）をオン／オフさせるスイッチング制御装置（２Ａ，２Ｂ，２Ｃ，２Ｄ）とを含むことを特徴とする不法侵入防止システムである。
【０００６】
なお、括弧内の英数字は、後述の実施形態における対応構成要素等を表す。以下、この項において同じ。
この発明によれば、帰宅の遅い日が続く場合や旅行または出張などで長期留守となる場合に、留守中の家屋内に人が居ると第三者（たとえば、留守中の家屋から金品を盗み出そうと企む者）に思い込ませることができ、第三者による家屋への不法侵入を防止できる。
【０００７】
また、たとえ家屋への不法侵入が行われたとしても、その不法侵入者が家屋内で窃盗行為中に電気器具がオンすれば、不法侵入者は居住者が家屋に帰ってきたと思い込んで逃げ出す。よって、居住者が帰宅した際に家屋内で不法侵入者と鉢合わせするおそれがなく、居住者が留守中に不法侵入した者によって殺傷されるといった人的被害を受けるおそれがない。
上記所定の電気器具は、複数個の照明器具であり、上記スイッチング装置は、各照明器具ごとに設けられていて、上記スイッチング制御装置は、上記スイッチング装置を個別に制御することができるものであってもよい。複数個の照明器具を適当な態様で点灯させることにより、家屋内の各部屋を人が行き来していると第三者に思い込ませることができ、留守中の家屋への不法侵入を効果的に防止することができる。なお、複数個の照明器具を点灯させる適当な態様とは、この不法侵入防止システムが導入される家屋の居住者の生活パターンに応じた照明器具の点灯パターンをいう。
【０００８】
また、上記スイッチング制御装置は、請求項２に記載のように、表示手段（３１）と、この表示手段に上記所定の電気器具をオン／オフさせる条件を設定する設定画面（４）を表示させる設定画面表示制御手段とを備えており、上記設定画面上で設定された条件に基づいて上記所定の電気器具をオン／オフさせるものであってもよい。
請求項３記載の発明は、上記設定画面表示制御手段は、上記スイッチング制御装置によって上記スイッチング装置の制御を実行する時間の始期である制御開始時刻を設定可能な設定画面を表示させるものであり、上記スイッチング制御装置は、現在時刻が上記設定画面で設定された制御開始時刻を過ぎた後、上記所定の電気器具をオンさせるか否かを決定するためのオン抽選を一定時間ごとに実行するオン抽選実行手段（Ｓ３）をさらに含み、このオン抽選実行手段によるオン抽選で当たりが出たことに応答して、上記所定の電気器具をオンさせるものであることを特徴とする請求項２記載の不法侵入防止システムである。
【０００９】
また、請求項４記載の発明は、上記設定画面表示制御手段は、上記スイッチング制御装置によって上記スイッチング装置の制御を実行する時間を設定可能な設定画面を表示させるものであり、上記スイッチング制御装置は、上記所定の電気器具をオンさせてから上記設定画面で設定された上記スイッチング装置の制御を実行する時間が経過した後、上記所定の電気器具をオフさせるか否かを決定するためのオン抽選を一定時間ごとに実行するオフ抽選実行手段（Ｓ７）をさらに含み、このオフ抽選実行手段によるオフ抽選で当たりが出たことに応答して、上記所定の電気器具をオフさせるものであることを特徴とする請求項２または３記載の不法侵入防止システムである。
【００１０】
これらの発明によれば、電気器具のオン／オフ時刻が抽選でランダムに決定される。
たとえば、電気器具が毎日決まった時刻にオン／オフすると、第三者によって、その電気器具のオン／オフが家屋内に人が居るように見せかけた偽装であると見破られる可能性がある。この可能性を、請求項３および４の発明でなくすことができる。すなわち、電気器具のオン／オフ時刻がランダムであれば、電気器具のオン／オフが家屋内に人が居るように見せかけた偽装であることを第三者に見破られるおそれがなく、そのような者の家屋への不法侵入を一層効果的に防止することができる。
【００１１】
請求項５記載の発明は、留守中の家屋への不法侵入を防止するためのシステムに用いられて、家屋内の所定の電気器具をオン／オフさせるためのスイッチング装置（２Ａ，２Ｂ，２Ｃ，２Ｄ）を制御するスイッチング制御装置（３）であって、表示手段（３１）と、この表示手段に上記所定の電気器具をオン／オフさせる条件を設定する設定画面を表示させる設定画面表示制御手段と、上記設定画面上で設定された条件に基づいて上記所定の電気器具をオン／オフさせる手段（Ｓ５）とを含むことを特徴とするスイッチング制御装置である。
【００１２】
この発明のスイッチング制御装置は、請求項２記載の不法侵入防止システムに好適に用いることができる。
請求項６記載の発明は、留守中の家屋への不法侵入を防止するためのシステムに用いられて、家屋内の所定の電気器具をオン／オフさせるためのスイッチング装置（２Ａ，２Ｂ，２Ｃ，２Ｄ）を制御するスイッチング制御装置（３）としてコンピュータを機能させるためのスイッチング制御プログラムであって、上記コンピュータを、上記所定の電気器具をオン／オフさせる条件を設定する設定画面を表示手段（３１）に表示させる設定画面表示制御手段、および上記設定画面上で設定された条件に基づいて上記所定の電気器具をオン／オフさせる手段（Ｓ５）として機能させることを特徴とするスイッチング制御プログラムである。
【００１３】
このスイッチング制御プログラムをコンピュータにインストールすることによって、請求項５に記載されたスイッチング制御装置を構成することができ、こうして構成したスイッチング制御装置は、請求項２記載の不法侵入防止システムに好適に用いることができる。
請求項７記載の発明は、コンピュータによる読み取りが可能であって、請求項６に記載のスイッチング制御プログラムを記録した記録媒体である。
【００１４】
このような記録媒体には、ＣＤ−ＲＯＭ等の光ディスク、光磁気ディスク、磁気ディスクなどに代表される読取り専用、または書換えもしくは追記の可能な任意の形態の記録媒体が含まれる。
【００１５】
【発明の実施の形態】
以下では、この発明の実施の形態を、添付図面を参照して詳細に説明する。
図１は、この発明の一実施形態に係る不法侵入防止システムの全体構成を示すブロック図である。この不法侵入防止システムは、居住者の留守中における家屋（住宅、店舗、オフィスなど）への不法侵入を防止するために、家屋内に配設されている照明器具Ｌ１，Ｌ２，Ｌ３，Ｌ４をその家屋内に人（居住者）が居るかのように点灯／消灯（ライティング）させるシステムであって、照明器具Ｌ１，Ｌ２，Ｌ３，Ｌ４をそれぞれ点灯／消灯させるためのスイッチング装置２Ａ，２Ｂ，２Ｃ，２Ｄ（以下、総称する場合には「スイッチング装置２」という。）と、このスイッチング装置２の動作を制御する制御装置（スイッチング制御装置）３とを含む。
【００１６】
なお、この実施形態では、照明器具Ｌ１，Ｌ２，Ｌ３，Ｌ４（以下、総称する場合には「照明器具Ｌ」という。）がそれぞれ玄関、居間（リビング）、２階寝室および台所に配設された照明器具である場合を例にとっているが、照明器具Ｌは、家屋内の他の場所（たとえば、トイレ、浴室など）に配設されている照明器具であってもよい。
スイッチング装置２は、いずれも同様な構成であり、たとえば、図２に示すように、制御装置３からの制御信号で発光制御される投光器２１と、この投光器２１の発光に応じて動作する受光器２２とを有している。
【００１７】
投光器２１は、たとえば、赤外線ＬＥＤ２１１を備えており、この赤外線ＬＥＤ２１１の発光が制御装置３からの制御信号によって制御されるようになっている。すなわち、制御装置３から予め定めるオンレベルの制御信号が入力されている間は、赤外線ＬＥＤ２１１から赤外線光が発光され続け、制御装置３からの制御信号が予め定めるオフレベルになると、赤外線ＬＥＤ２１１からの赤外線光の発光が停止されるようになっている。
【００１８】
受光器２２は、投光器２１（赤外線ＬＥＤ２１１）から発光される赤外線光を受光可能なように配置されており、その赤外線光を受光する受光ＩＣ２２１と、この受光ＩＣ２２１からの信号でオン／オフされる電磁リレー２２２と、分電盤Ｕからの屋内配線および照明器具Ｌからの配線がそれぞれ接続される端子を両端に有する接続線２２３とを備えている。電磁リレー２２２は、接続線２２３の途中部に介装されている。
【００１９】
この構成により、制御装置３からの制御信号によって投光器２１から赤外線光が発光されると、受光器２２の電磁リレー２２２がオンになり、分電盤Ｕから配電されてくる電力が照明器具Ｌに供給される。その結果、照明器具Ｌが点灯する。一方、投光器２１からの赤外線光の発光が停止されると、受光器２２の電磁リレー２２２がオフになり、照明器具Ｌへの電力の供給が停止される。その結果、照明器具Ｌが消灯する。
【００２０】
なお、照明器具Ｌの点灯／消灯をこの照明器具Ｌに付設されているスイッチで切換え可能なようになっている場合、その照明器具Ｌに接続されるスイッチング装置２には、図３に示すように、分電盤Ｕからの屋内配線が直接に接続されるとよい。また、照明器具Ｌの点灯／消灯を部屋の壁に設置された壁スイッチＳＷで切換え可能なようになっている場合には、その照明器具Ｌに接続されるスイッチング装置２は、図４に示すように、照明器具Ｌと分電盤Ｕとの間にスイッチＳＷと直列に介装されるとよい。
【００２１】
制御装置３は、たとえば、パーソナルコンピュータにライティング制御プログラム（スイッチング制御プログラム）をインストールし、そのインストールしたライティング制御プログラムを起動させることにより実現される。すなわち、パーソナルコンピュータにライティング制御プログラムをインストールし、このインストールによってパーソナルコンピュータのハードディスクドライブに複写されるライティング制御プログラムの実行ファイルをパーソナルコンピュータのＣＰＵに実行させることにより、そのパーソナルコンピュータが、照明器具Ｌのライティング（スイッチング装置２のスイッチング動作）を制御するための制御装置３として機能することになる。
【００２２】
ライティング制御プログラムは、ＣＤ−ＲＯＭ等の光ディスク、光磁気ディスク、磁気ディスクなどに代表される記録媒体に記録した状態で提供されてもよいし、インターネット配信により提供されてもよい。
図５は、ライティング制御プログラムの起動時にパーソナルコンピュータ（制御装置３）のディスプレイ３１の画面上に表示される設定画面を示す図である。この設定画面４で、留守中における照明器具Ｌの点灯態様（家屋内に居住者が居るように見せかけるための照明器具Ｌの点灯／消灯パターン）を任意に設定できるようになっている。
【００２３】
設定画面４内には、照明器具Ｌ１〜Ｌ４をそれぞれチャンネルＣｈ．１〜４として、各チャンネルＣｈ．１〜４ごとに、チェックボックス４１、ライティング開始日入力欄４２、ライティング終了日入力欄４３、制御開始時刻入力欄４４、制御終了時刻入力欄４５および点灯時間入力欄４６が設けられている。
チェックボックス４１は、各チャンネルＣｈ．１〜４の照明器具Ｌをライティングさせるか否かを入力するための欄であり、チェックボックス４１にチェックマークを付けると、そのチャンネルの照明器具Ｌの点灯／消灯がライティング開始日入力欄４２、ライティング終了日入力欄４３、制御開始時刻入力欄４４、制御終了時刻入力欄４５および点灯時間入力欄４６に入力された内容に基づいて制御される。チェックマークは、たとえば、パーソナルコンピュータ本体３２に接続されたマウスを操作して、チェックボックス４１上にポインタを配置し、その状態でマウスの左ボタンをクリックすることにより、付けたり消したりすることができる。
【００２４】
ライティング開始日入力欄４２は、各チャンネルＣｈ．１〜４の照明器具Ｌのライティング制御を行う期間（ライティング期間）の始期を設定するための欄である。また、ライティング終了日入力欄４３は、各チャンネルＣｈ．１〜４の照明器具Ｌをライティングさせる期間の終期を設定するための欄である。つまり、各チャンネルＣｈ．１〜４のライティング開始日入力欄４２およびライティング終了日入力欄４３にそれぞれ入力された日付により、各チャンネルＣｈ．１〜４ごとに照明器具Ｌのライティング制御を行う期間が規定される。
【００２５】
制御開始時刻入力欄４４は、ライティング期間内の各日において、照明器具Ｌのライティング制御を開始する時刻を設定するための欄である。また、制御終了時刻入力欄４５は、ライティング期間内の各日において、照明器具Ｌのライティング制御を終了する時刻を設定するための欄である。つまり、照明器具Ｌのライティング制御は、ライティング期間内の各日において、制御開始時刻入力欄４４および制御終了時刻入力欄４５にそれぞれ入力された時刻により規定される制御実行時間内に行われる。
【００２６】
点灯時間入力欄４６は、ライティング制御で照明器具Ｌを最小限点灯させておく時間を設定するための欄である。
ライティング開始日入力欄４２、ライティング終了日入力欄４３、制御開始時刻入力欄４４、制御終了時刻入力欄４５および点灯時間入力欄４６の各欄には、たとえば、パーソナルコンピュータ本体３２に接続されたマウスまたはキーボード（ｔａｂキー）を操作して、各欄の左端にカーソルを合わせ、その状態でキーボード（テンキー）を操作することにより、日付（年月日）、時刻または時間を入力することができる。
【００２７】
図６は、ライティング制御プログラムに従った照明器具Ｌのライティング制御（スイッチング装置２のスイッチング動作制御）について説明するためのフローチャートである。家屋内に人が居るように見せかけるための照明器具Ｌのライティング制御は、チェックボックス４１にチェックマークが付いているチャンネルごとに、ライティング開始日入力欄４２およびライティング終了日入力欄４３にそれぞれ入力された日付により規定されるライティング期間内の各日において、この図６に示すフローチャートの処理がたとえば１分ごとに繰り返し行われることにより達成される。
【００２８】
なお、以下では、チャンネルＣｈ．４のチェックボックス４１のみにチェックマークが付けられて、ライティング開始日入力欄４２、ライティング終了日入力欄４３、制御開始時刻入力欄４４、制御終了時刻入力欄４５および点灯時間入力欄４６の各欄に、それぞれ「２００２／０７／２０」、「２００２／０７／２９」、「１６：００」、「１９：００」および「２時間」と入力された場合を例にとって説明する。
【００２９】
制御装置３（を構成するパーソナルコンピュータのＣＰＵ）は、２００２年７月２０日から２００２年７月２９日までのライティング期間中、チェックボックス４１にチェックマークが付いているチャンネルＣｈ．４に関して、図６に示すフローチャートの処理を１分ごとに繰り返し実行する。
まず、現在時刻がチャンネルＣｈ．４の制御開始時刻入力欄４４および制御終了時刻入力欄４５にそれぞれ入力された時刻により規定される制御実行時間内であるか否かを判断する（ステップＳ１）。すなわち、現在時刻が「１６：００〜１９：００」の時間内であるか否かを判断する。
【００３０】
現在時刻が制御実行時間内であれば、制御装置３は、次に、照明器具Ｌ４が点灯中であるか否かを調べる（ステップＳ２）。そして、照明器具Ｌ４が消灯していれば、照明器具Ｌ４を点灯させるか否かを決定するための点灯抽選を実行する（ステップＳ３）。点灯抽選は、たとえば、１／６０の確率で当たりが出るように設定された抽選であり、この抽選で当たりが出た場合には（ステップＳ４でＹＥＳ）、制御装置３は、照明器具Ｌ４を点灯／消灯させるためのスイッチング装置２Ｄにオンレベルの制御信号を与えて、このフローチャートの処理をリターンする。スイッチング装置２Ｄにオンレベルの制御信号が与えられる結果、台所に配設されている照明器具Ｌ４が点灯する（ステップＳ５）。一方、点灯抽選ではずれが出た場合には、照明器具Ｌ４は点灯されずに、このフローチャートの処理をリターンする。
【００３１】
点灯抽選で当たりが出る確率は１／６０に設定されているから、平均して、点灯抽選が６０回行われると当たりが出る。点灯抽選はこのフローチャートの処理が行われる度（１分ごと）に行われるから、照明器具Ｌ４は、制御開始時刻入力欄４４に入力された時刻「１６：００」から１時間後の時刻「１７：００」前後に点灯することになる。
照明器具Ｌ４の点灯後、制御装置３は、照明器具Ｌ４の点灯時刻に点灯時間入力欄４６に入力された時間を足すことにより消灯時刻を設定する。たとえば、照明器具Ｌ４が「１６：１５」に点灯した場合、この照明器具Ｌ４の点灯時刻「１６：１５」に「２時間」を足して得られる時刻「１８：１５」を消灯時刻に設定する。そして、その後に繰り返し実行する当該フローチャートの処理では、ステップＳ２における照明器具Ｌ４が点灯中であるか否かの判断を肯定して、現在時刻が消灯時刻になったか否かを判断する（ステップＳ６）。
【００３２】
現在時刻が消灯時刻になると、制御装置３は、照明器具Ｌ４を消灯させるか否かを決定するための消灯抽選を実行する（ステップＳ７）。消灯抽選は、たとえば、１／３０の確率で当たりが出るように設定された抽選であり、この消灯抽選で当たりが出れば（ステップＳ８でＹＥＳ）、制御装置３は、照明器具Ｌ４を点灯／消灯させるためのスイッチング装置２Ｄにオフレベルの制御信号を与えて、このフローチャートの処理をリターンする。スイッチング装置２Ｄにオフレベルの制御信号が与えられる結果、台所に配設されている照明器具Ｌ４が消灯する（ステップＳ９）。一方、消灯抽選ではずれが出た場合には、照明器具Ｌ４は消灯せずに点灯させたまま、このフローチャートの処理をリターンする。
【００３３】
消灯抽選で当たりが出る確率は１／３０に設定されているから、平均して、消灯抽選が３０回行われると当たりが出る。消灯抽選はこのフローチャートの処理が行われる度（１分ごと）に行われるから、照明器具Ｌ４は、消灯時刻「１８：１５」から３０分後の時刻「１８：４５」前後に消灯することになる。
なお、消灯抽選で当たりが出ずに、現在時刻が制御実行時間を過ぎた場合には、制御装置３は、チャンネルＣｈ．４の照明器具Ｌ４を消灯して（ステップＳ９）、このフローチャートの処理をリターンする。
【００３４】
このようにして、チェックボックス４１にチェックマークを付けたチャンネルの照明器具Ｌが自動的に点灯／消灯されることにより、家屋に不法侵入して金品を盗み出そうと企む者に、その家屋に人が居ると思い込ませることができる。ゆえに、帰宅の遅い日が続く場合や旅行または出張などで長期留守となる場合に、上述のライティング制御プログラムを実行して、適当な照明器具Ｌが適当な時間に点灯するように設定しておけば、留守中の家屋から金品を盗み出そうと企む者が家屋に不法侵入するのを効果的に防止でき、そのような者による窃盗を防止することができる。
【００３５】
また、照明器具Ｌの点灯時刻および消灯時刻が抽選で決定されるから、日によって、照明器具Ｌの点灯時刻および消灯時刻が異なる。したがって、留守中の家屋から金品を盗み出そうと企む者に、照明器具Ｌのライティングが家屋内に人が居るように見せかけた偽装であることを見破られるおそれがなく、そのような者の家屋への不法侵入を一層効果的に防止することができる。
さらには、たとえ家屋への不法侵入が行われたとしても、その不法侵入者が家屋内で窃盗行為中に照明器具Ｌが自動点灯すれば、不法侵入者は居住者が家屋に帰ってきたと思い込んで逃げ出す。よって、居住者が帰宅した際に家屋内で不法侵入者と鉢合わせするおそれがなく、居住者が留守中に不法侵入した者によって殺傷されるといった人的被害を受けるおそれがない。
【００３６】
以上、この発明の一実施形態について説明したが、この発明は他の形態で実施することも可能である。たとえば、上記の実施形態では、最大で４つの照明器具Ｌをライティングさせることができる構成を例にとったが、ライティング可能な照明器具Ｌの個数は、３つ以下であってもよいし、５つ以上であってもよい。
また、照明器具Ｌに限らず、家屋内に人が居ると思い込ませることができる電気器具であれば、たとえば、制御装置３の制御によってテレビやラジオがオン／オフされるようにしてもよい。
【００３７】
その他、特許請求の範囲に記載された事項の範囲で種々の設計変更を施すことが可能である。
【図面の簡単な説明】
【図１】この発明の一実施形態に係る不法侵入防止システムの全体構成を示すブロック図である。
【図２】スイッチング装置の構成を簡略化して示す回路図である。
【図３】スイッチング装置の配置例を示す図である。
【図４】スイッチング装置の他の配置例を示す図である。
【図５】ライティング制御プログラムの起動時にパーソナルコンピュータのディスプレイの画面上に表示される設定画面を示す図である。
【図６】ライティング制御プログラムに従った照明器具のライティング制御（スイッチング装置のスイッチング動作制御）について説明するためのフローチャートである。
【符号の説明】
２Ａ　　スイッチング装置
２Ｂ　　スイッチング装置
２Ｃ　　スイッチング装置
２Ｄ　　スイッチング装置
３　　　制御装置
４　　　設定画面
３１　　ディスプレイ
３２　　パーソナルコンピュータ本体
Ｌ１　　照明器具
Ｌ２　　照明器具
Ｌ３　　照明器具
Ｌ４　　照明器具
【図１】
2004094601.tif 000003
【図２】
2004094601.tif 000004
【図３】
2004094601.tif 000005
【図４】
2004094601.tif 000006
【図５】
2004094601.tif 000007
【図６】
2004094601.tif 000008